(57)【特許請求の範囲】
【請求項１】
所定のユニークワードを分割して成る複数の分割ユニークワードと、所望の送信データであるデータユニットと、が所定数ずつ配置されているサブフレーム、を複数有するフレームデータを受信する受信機が行う同期方法であって、
受信されたデータから前記所定のユニークワードの全体を検出し、その検出結果に基づいて前記フレームデータの同期を確立する同期確立ステップ、及び、
受信されたデータから前記分割ユニークワードのそれぞれを検出し、その検出結果に基づいて前記サブフレームの同期を維持し、前記サブフレームを一つ受信するごとに前記データユニットを抽出して出力する同期維持ステップ、
を備えた同期方法。
【請求項２】
前記同期維持ステップが、
受信されたデータから、前記分割ユニークワードの位置に含まれているデータ（以下、抽出データという）を抽出する抽出ステップ、
前記抽出データと比較されるべき前記分割ユニークワードに相当する比較ユニークワードを決定する決定ステップ、
前記抽出データと前記比較ユニークワードとを比較する比較ステップ、及び、
前記比較ステップでの比較結果に応じ、前記抽出データを含む前記サブフレームから前記データユニットを抽出して出力する出力ステップ、
をさらに備えた、請求項１に記載の同期方法。
【請求項３】
前記比較ステップでの比較結果に応じ、前記同期確立ステップ、または前記同期維持ステップのいずれかを繰り返す、請求項２に記載の同期方法。
【請求項４】
前記比較ステップは、前記抽出データと前記比較ユニークワードとの間で、全データビットが完全に一致するとき、または、一致しないデータビットの数が所定数以下のとき、前記抽出データと前記比較ユニークワードとが一致すると判断する判断ステップ、を有し、
前記判断ステップで前記抽出データと前記比較ユニークワードとが一致すると判断された場合、前記出力ステップで前記データユニットを抽出して出力する、
請求項２に記載の同期方法。
【請求項５】
前記データユニットは音声データである、請求項１に記載の同期方法。
【請求項６】
所定のユニークワードを分割して成る複数の分割ユニークワードと、所望の送信データであるデータユニットと、が所定数ずつ配置されているサブフレーム、を複数有するフレームデータ、を載せた高周波信号を受信する受信部、
前記高周波信号を復調し、復調信号を出力する復調部、
前記復調信号からクロック信号を再生して出力するクロック再生部、
前記クロック信号に従って前記フレームデータの同期を確立する同期確立部と、前記同期が確立された後に前記フレームデータに含まれるデータユニットを出力する同期維持部と、を有するＵＷ検出部、及び、
前記ＵＷ検出部から出力されたデータユニットを処理して出力する処理部、
を備えた受信機であり、
前記同期確立部は、前記復調部からデータを受信し、受信されたデータから前記所定のユニークワードの全体を検出し、その検出結果に基づいて前記フレームデータの同期を確立し、
前記同期維持部は、前記復調部からデータを受信し、受信されたデータから前記分割ユニークワードのそれぞれを検出し、その検出結果に基づいて前記サブフレームの同期を維持し、前記サブフレームを一つ受信するごとに前記データユニットを抽出して出力する、受信機。
【発明の詳細な説明】
【０００１】
【発明の属する技術分野】
本発明は、デジタル無線通信の同期方法及び受信機に関する。
【０００２】
【従来の技術】
デジタル無線通信により伝送しようとするデータをフレームデータ単位で伝送する場合、通常送信機においてユニークワードを各フレームデータに付加する。ユニークワードの付加の方法としては、バースト誤りに対する耐性向上のため、ユニークワードを分割した分割ユニークワードをフレームデータ内に分散配置する方法が存在する（例えば、特許文献１を参照）。この場合、受信機は、受信したデータ系列中の分割ユニークワードの全てを検出することでフレームデータ位置を同定する（同期状態）。そして、同定されたフレームデータ位置に存在するフレームデータを検出し、検出した各フレームデータから所望のデータを再現する。ここで、この分割ユニークワードを検出する際、所定ビット数の不一致も許容するようにする。このようにすれば、バースト誤りが発生しても分割ユニークワードの大部分を検出できる。従って、ユニークワード不検出が低減され、高い確率でフレームデータを検出することができる。そして、同期状態の維持は、同期状態の確立と同じく、分割ユニークワードの全てを検出することで行われる。
【０００３】
【特許文献１】
特願平１０−５２２４０２（第８−１１頁、図１）
【０００４】
【発明が解決しようとする課題】
上述のように同期状態の維持を同期状態の確立と同じ方法で行った場合、同期維持の信頼性は確保できる。しかし、この場合一旦同期状態が確立された後もフレームデータ位置を検出し続ける必要があるため、受信したデータの処理が遅延するという問題が生じる。特に、このような処理の遅延は、音声通信などのリアルタイム性の要求される通信では致命的である。
本発明の目的は、受信データ処理の遅延を低減させることが可能なフレームデータの同期方法及び受信機を提供することにある。
【０００５】
【課題を解決するための手段】
請求項１に係る同期方法は、所定のユニークワードを分割して成る複数の分割ユニークワードと、所望の送信データを分割して成る複数のデータユニットと、が所定数ずつ配置されているサブフレーム、を複数有するフレームデータを受信する受信機が行う同期方法であって、同期確立ステップと同期維持ステップとを備えている。同期確立ステップでは、受信されたデータから所定のユニークワードの全体を検出し、その検出結果に基づいてフレームデータの同期を確立する。同期維持ステップでは、受信されたデータから分割ユニークワードのそれぞれを検出し、その検出結果に基づいてサブフレームの同期を維持し、サブフレームを一つ受信するごとにデータユニットを抽出して出力する。
【０００６】
請求項２に係る同期方法では、請求項１に記載の同期維持ステップがさらに、抽出ステップと、決定ステップと、比較ステップと、出力ステップとを備えている。抽出ステップでは、受信されたデータから、分割ユニークワードの位置に含まれているデータ（以下、抽出データという）を抽出する。ここで、分割ユニークワードの位置とは、各サブフレームの中で分割ユニークワードが配置されている位置である。決定ステップでは、抽出データと比較されるべき分割ユニークワードに相当する比較ユニークワードを決定する。特に、検出された分割ユニークワードの数がカウントされ、そのカウントに応じ、同じユニークワードを構成する複数の分割ユニークワードのいずれか一つが比較ユニークワードとして決定される。比較ステップでは抽出データと比較ユニークワードとを比較する。その比較では好ましくは、抽出データと比較ユニークワードとの間で一致するデータビットの数、または一致しないデータビットの数がカウントされる。出力ステップでは、比較ステップの比較結果に応じ、上記の抽出データを含むサブフレームからデータユニットを抽出して出力する。ここで、「比較結果に応じ」とは好ましくは、データユニットの抽出と出力とを、「抽出データと比較ユニークワードとの間で一致したデータビットの数が所定数以上である場合」または「一致しないデータビットの数が所定数以下である場合」に行うことを意味する。このように、抽出データと比較ユニークワードとの間の比較結果に応じてデータユニットを出力するため、フレームデータの全体を受信するまで待たなくても、各データユニットを受信するごとに順次出力して処理できる。従って、フレームデータ単位でデータを記憶するバッファも不要となり、データ処理の遅延を低減できる。また、ユニークワード単位での比較結果によるフレームデータの出力よりも簡略にデータユニットを出力できる。
【０００８】
請求項３に係る同期方法は、請求項２に記載の同期方法において、比較ステップの比較結果に応じ、同期確立ステップ、または同期維持ステップ（すなわち、抽出ステップ、決定ステップ、比較ステップ、及び出力ステップ）のいずれかを繰り返す。特に同期維持ステップを繰り返す場合、その繰り返しは、例えば次のように行うことができる。分割ユニークワードが、ユニークワードのデータ先頭よりｎ等分して得られる第１分割ユニークワード、・・、ｋ分割ユニークワード、・・第ｎ分割ユニークワードである場合、まず、第ｋ分割ユニークワード（１≦ｋ≦ｎ）について、抽出ステップ、決定ステップ、比較ステップ、及び出力ステップを実行する。なお、ｋの初期値は１とする。次に、１≦ｋ≦ｎ−１の場合、比較の結果に応じて第ｋ＋１分割ユニークワードについて、抽出ステップ、決定ステップ、比較ステップ、及び出力ステップを実行する。そして、ｋ＝ｎの場合、比較の結果に応じて再び第１分割ユニークワードについて、抽出ステップ、決定ステップ、比較ステップ、及び出力ステップを実行する。以下同様にして、第２分割ユニークワード、第３分割ユニークワード、・・について、抽出ステップ、決定ステップ、比較ステップ、及び出力ステップを実行する。このように、比較ステップでの比較結果に応じ、複数のフレームデータに含まれる複数のデータユニットを連続して出力できる。
【０００９】
請求項４に係る同期方法では、請求項２に記載の同期方法において、比較ステップが、抽出データと比較ユニークワードとの間で、全データビットが完全に一致するとき、または、一致しないデータビットの数が所定数以下のとき、抽出データと比較ユニークワードとが一致すると判断する判断ステップ、を有し、判断ステップで抽出データと比較ユニークワードとが一致すると判断された場合、出力ステップでデータユニットを抽出して出力する。このように、不一致のビット数が所定数以下の場合も一致すると判断することで、データユニットが出力されずデータ処理が行えない確率を低減でき、バースト誤りにも強くなる。
【００１０】
請求項５に係る同期方法では、請求項１に記載の同期方法において、データユニットが音声データである。それにより、特にリアルタイム性が要求される音声通信においてディレイの発生を抑えることができ、音声無線通信のリアルタイム性が向上する。
【００１１】
請求項６に係る受信機は、受信部と、復調部と、クロック再生部と、ＵＷ検出部と、処理部とを備えている。受信部は、所定のユニークワードを分割して成る複数の分割ユニークワードと、所望の送信データを分割して成る複数のデータユニットと、が所定数ずつ配置されているサブフレーム、を複数有するフレームデータ、を載せた高周波信号を受信する。復調部は、受信部が受信した高周波信号を復調し、復調信号を出力する。クロック再生部は、復調部が出力した復調信号からクロック信号を再生して出力する。ＵＷ検出部は同期確立部と同期維持部とを含む。同期確立部は、クロック信号に従い、フレームデータの同期を確立する。同期維持部は、同期が確立された後にフレームデータに含まれるデータユニットを出力する。処理部は、ＵＷ検出部から出力されたデータユニットを処理して出力する。特に、同期確立部は、復調部からデータを受信し、受信されたデータから所定のユニークワードの全体を検出し、その検出結果に基づいてフレームデータの同期を確立する。同期維持部は、復調部からデータを受信し、受信されたデータから分割ユニークワードのそれぞれを検出し、その検出結果に基づいてサブフレームの同期を維持し、サブフレームを一つ受信するごとにデータユニットを抽出して出力する。好ましくは、同期維持部が、抽出手段、決定手段、比較手段、及び段位データ出力手段を含む。抽出手段は、復調部からサブフレームと同じ量のデータを受信し、そのデータから、分割ユニークワードの位置に含まれている、分割ユニークワードと同じ長さのデータ（以下、抽出データという）を抽出する。決定手段は、抽出データと比較されるべき分割ユニークワードに相当する比較ユニークワードを決定する。比較手段は、抽出データと比較ユニークワードとを比較する。データユニット出力手段は、比較手段による比較結果に応じ、抽出データを含むサブフレームからデータユニットを抽出して出力する。このように、抽出データと比較ユニークワードとの間の比較結果に応じてデータユニットを処理部に出力するため、フレームデータ単位でデータを記憶するバッファが不要となり、データ処理の遅延を低減できる。
【００１３】
【発明の実施の形態】
＜第１実施形態＞
（１）概略構成
図１は、本発明を利用した受信機１０の概略構成図である。受信機１０は、ＲＦ受信部２と、クロック再生部３と、ユニークワード（ＵＷ）検出部４と、信号処理部５と、Ｄ／Ａ変換器６と、増幅器７と、受信機マスタクロック９を備えている。ＲＦ受信部２は、アンテナ１と接続されており、アンテナ１が受信した高周波信号を復調し、復調信号をクロック再生部３に出力する。この復調信号は、図３に示すような構造のフレームデータを含んでいる。このフレームデータには、後述するｋビットの分割ユニークワード（ＵＷ）ＤＵＷ１、・・、ＤＵＷｊが含まれている。そして、２つの分割ＵＷの間には、ｉビットのデータユニットＤＡＴＡ１、・・、ＤＡＴＡｊが介在する。なお、分割ユニークワードＤＵＷｎとデータユニットＤＡＴＡｎ（１≦ｎ≦ｊ）との組み合わせをサブフレームという。分割ユニークワードのビット数ｋ及びデータユニットのビット数ｉは、受信機１０の使用条件、使用目的などに応じて変化させてもよい。分割ユニークワードＤＵＷ１、・・、ＤＵＷｊは、それぞれデータユニットＤＡＴＡ１、・・、ＤＡＴＡｊのデータ位置を同定する。一方、ＲＦ受信部２は、公知のＲＳＳＩ回路を有しており、ＲＳＳＩ信号を出力する。クロック再生部３は、図示しないクロック再生回路を有しており、受信機マスタクロック９から出力されるマスタクロックを用いて復調信号からクロック信号（ＣＬＫ）を再生し、ＵＷ検出部４に出力する。ＵＷ検出部４は、復調信号に含まれるユニークワード（ＵＷ）に基づき、フレームの同期状態確立及び同期状態維持を行う。ＵＷ検出部４の構成及び動作については後述する。信号処理部５は、分割ユニークワードＤＵＷｎ（１≦ｎ≦ｊ）に基づいてデータユニットＤＡＴＡｎ（１≦ｎ≦ｊ）の位置を同定し、データユニットＤＡＴＡｎを抽出する。そして、抽出されたデータユニットＤＡＴＡｎの誤りの検出及びＢＥＲ信号の出力、データユニットＤＡＴＡｎの誤りの訂正、ＲＦ受信部２から出力されるＲＳＳＩ信号またはＢＥＲ信号が所定の基準レベル以下の場合の音声ミュート、音声圧縮処理（デコード）、ゲイン調整など、所定の処理を行う。そして、所定の処理がされたデータユニットＤＡＴＡｎをＤ／Ａ変換器６に出力する。Ｄ／Ａ変換器６は、データユニットＤＡＴＡｎをアナログ音声信号に変換し増幅器７に出力する。増幅器７は、スピーカ８と接続されており、アナログ音声信号を増幅しスピーカ８に出力する。スピーカ８は、アナログ音声信号を空気中に拡声する。
【００１４】
（２）詳細構成
図２は、ＵＷ検出部４の詳細な構成図である。ＵＷ検出部４は、同期確立部６１と、同期維持部６２とを備えている。同期確立部６１は、第１スイッチ（ＳＷ）２１と、第１シフトレジスタ（ＳＲ）２２と、第２ＳＷ２３と、第１カウンタ２４と、第１データ抽出部２５と、第１一致判定部２６と、ＵＷメモリ２７と、第１制御部４０と、第２制御部２８とを有している。第１ＳＷ２１は、第１ＳＲ側端子２１ａと第２ＳＲ側端子２１ｂとを含んでおり、クロック再生部３から入力された復調信号のデータ系列を第１ＳＲ側端子２１ａまたは第２ＳＲ側端子２１ｂに出力する。この出力の切り換えは、後述の第１制御部４０及び第３制御部４２により行われる。第１ＳＲ２２は、クロック再生部３から出力されたデータをＣＬＫに同期して、１ビットずつ第２ＳＷ２３にシフト出力する。第２ＳＷ２３は、第１ＳＲ２２と第１データ抽出部２５との間に設けられている。第２制御部２８は、第２ＳＷ２３を所定の時間間隔でオンまたはオフにし、第１データ抽出部２５の分割ＵＷの受け取りタイミングを生成する。第２ＳＷ２３のオン・オフは、図７（ａ）に例示するように、第１ＳＲ２２がｋビットのデータをシフト出力するのに要する時間だけオンにし、第１ＳＲ２２がｉビットのデータをシフト出力するのに要する時間だけオフにするようなタイミングとすることができる。
【００１５】
ＵＷメモリ２７は、図４に示すｊ＊ｋビットのユニークワード（ＵＷ）を記憶する。第１データ抽出部２５は、第２制御部２８により所定のタイミングでオンにされた第２ＳＷ２３を介して第１ＳＲ２２から１ビットずつデータを受け取り、第１一致判定部２６に出力する。第１一致判定部２６は、第１データ抽出部２５が順次出力したデータをｊ＊ｋビット記憶し、このデータ（以下、第１抽出データという）とＵＷメモリ２７に記憶されたＵＷとを比較し、これらが完全に一致するか、または完全に一致しないが一致しないビット数が所定の範囲内の場合一致すると判断する。第１カウンタ２４は、上記一致したと判断された回数ｍを計数する。なお、ｍのデフォルト値は０である。第１制御部４０は、一致したと判断された回数ｍが所定数ｍ0を超えた場合、第１ＳＷ２１を第１ＳＲ側端子２１ａから第２ＳＲ側端子１ｂへ切り換える。以下、第１ＳＷ２１が第２ＳＲ側端子２１ｂへ切り換えられた状態を同期確立状態という。
【００１６】
同期維持部６２は、第２シフトレジスタ（ＳＲ）２９と、第３スイッチ（ＳＷ）３０と、第２データ抽出部３１と、第２一致判定部３２と、分割ＵＷメモリ３３と、第４スイッチ（ＳＷ）３４と、第２カウンタ３５と、第５スイッチ（ＳＷ）３６と、第３制御部４２とを有している。第２ＳＲ２９は、クロック再生部３から出力されたデータをＣＬＫに同期して、１ビットずつ第３ＳＷ３０または第５ＳＷ３６にシフト出力する。ここで、第３ＳＷ３０は、第２ＳＲ２９と第２データ抽出部３１との間に設けられている。また、第５ＳＷ３６は、第２ＳＲ２９と信号処理部５との間に設けられている。前述の第２制御部２８は、第３ＳＷ２９を所定のタイミングでオンまたはオフにし、第２データ抽出部３１の分割ＵＷの受け取りタイミングを生成する。このオン・オフの同期は、例えば前述の第１ＳＷ２１のオン・オフの同期と同じにすることができる。第２データ抽出部３１は、第２制御部２８により所定のタイミングでオンにされた第３ＳＷ３０を介して第２ＳＲ２９から１ビットずつデータを受け取り、第２一致判定部３２に出力する。分割ＵＷメモリ３３は、複数の分割ＵＷを記憶するＤＵＷ１メモリ、ＤＵＷ２メモリ、・・、ＤＵＷｊメモリを有する。ここで、分割ＵＷとは、図４に示すようにＵＷを前方よりｋビットずつｊ個に等分割したＤＵＷ１、ＤＵＷ２、・・、ＤＵＷｊのいずれかである。なお、この分割は等分割ではなく、不均等であってもよい。第２カウンタ３５は、第２一致判定部３２に接続するＤＵＷｎメモリを指定する数ｎ（１≦ｎ≦ｊ）を計数する。なお、ｎは自然数であり、デフォルト値は１である。
【００１７】
第３制御部４２は、第２カウンタ３５のｎを参照し、第４ＳＷ３４を制御して第２一致判定部３２をＤＵＷｎメモリ（１≦ｎ≦ｊ）に接続させる。第２一致判定部３２は、第２データ抽出部３１が順次出力したデータをｋビット記憶し、このデータ（以下、第２抽出データという）とＤＵＷｎメモリに記憶された分割ユニークワードＤＵＷｎ（以下、比較ＵＷという）とを比較する。そして、これらが完全に一致するか、または完全に一致しないが一致しないビット数が所定の範囲内の場合一致すると判断し、それ以外の場合一致しないと判断する。第３制御部４２は、第２一致判定部３２の判断結果に応じ、第１ＳＷ２１を第２ＳＲ側端子２１ｂから第１ＳＲ側端子２１ａへ切り換える。また、第３制御部４２は、第２一致判定部３２の判断結果に応じ、第５ＳＷ３６を所定の時間間隔でオンまたはオフにし、信号処理部５のデータユニットＤＡＴＡｎ（１≦ｎ≦ｊ）の受け取りタイミングを生成する。ここで、第５ＳＷ３６のオン・オフは、図８に例示するように、第２ＳＲ２９がｉビットのデータを信号処理部５にシフト出力するのに要する時間だけオンにし、第２ＳＲ２９がｋビットのデータを信号処理部５にシフト出力するのに要する時間だけオフにするようなタイミングとすることができる。以下、第１ＳＷ２１が第１ＳＲ側端子１ａへ切り換えられた状態を非同期状態という。
【００１８】
（３）ＵＷ検出部の動作
（３−１）同期確立部の動作
以下、同期確立部６１の動作の一例を図５に示すフローチャートを用いて説明する。この動作は、受信機１０の電源が投入されたとき、または同期確立部６１の第２制御部２８が同期維持部６２の第３制御部４２から出力された同期確立開始信号を入力したときに開始する。
ステップＳ１：第１データ抽出部２５は、第２制御部２８により所定の時間間隔でオンとなった第２ＳＷ２３により接続された第１シフトレジスタ２２から１ビットずつシフト出力されたデータを受け取り、第１一致判定部２６に出力する。
【００１９】
ステップＳ２：第１一致判定部２６は、第１データ抽出部２５から出力されたデータである第１抽出データと、ＵＷメモリ２７に記憶されているＵＷとの同一性を逐次ｊ＊ｋビット分比較し、第１抽出データとＵＷとが一致するか否かを判断する。一致すると判断した場合、同期確立部６１はステップＳ３の動作へ移行する。一致しないと判断した場合、同期確立部６１はステップＳ８の動作へ移行する。なお、完全に一致しないが所定の許容範囲内である場合も一致したと判断するようにしてもよい。
【００２０】
ステップＳ３：第１一致判定部２６は、一致信号を第１カウンタ２４に出力する。
ステップＳ４：第１カウンタ２４は、一致信号を入力した回数ｍをインクリメントする。
ステップＳ５：第１制御部４０は、第１カウンタ２４のｍを参照し、ｍ＞ｍ0か否かを判断する。ｍ＞ｍ0の場合、同期確立部６１はステップＳ６の動作へ移行する。ｍ≦ｍ0の場合、同期確立部６１はステップＳ１の動作へ戻る。なお、データユニットから抽出されたデータとＵＷとが偶然一致する場合もあるため、通信の信頼性確保の観点からは、ｍ0は２以上の自然数とすることが好ましい。
【００２１】
ステップＳ６：第１制御部４０は、第１ＳＷ２１を第１ＳＲ側端子２１ａから第２ＳＲ側端子２１ｂへ切り換え、同期確立完了信号を第２制御部２８へ出力する。
ステップＳ７：第１カウンタ２４は、同期確立完了信号の入力に応じてｍ＝０とする。そして、同期確立部６１は動作を終了する。
ステップＳ８：第１一致判定部２６は、不一致信号を第２制御部２８に出力する。
【００２２】
ステップＳ９：第２制御部２８は、不一致信号の入力に応じ、第２ＳＷ２３のオン・オフのタイミングを所定時間ずらす。なお、このずらす時間は、例えば図７（ｂ）に示すように、第１ＳＲ２２がΔｋビット分のデータを第２ＳＷ２３にシフト出力するのに要する時間とすることができる。また、ずらす時間は、受信機１０の使用条件、使用目的などに応じて変化させてもよい。
ステップＳ１０：第１カウンタ２４は、不一致信号の入力に応じてｍ＝０とする。そして、同期確立部６１は、ステップＳ１の動作へ戻る。
【００２３】
同期確立部６１において上記のような動作が行われれば、第１抽出データとＵＷとが一致すると判断された回数ｍがｍ0回に達した場合同期確立状態となる。
（３−２）同期維持部の動作
以下、同期維持部６２の動作の一例を図６に示すフローチャートを用いて説明する。この動作は、第２制御部２８が同期確立完了信号を入力したときに開始する。
ステップＳ１１：第２データ抽出部３１は、第２制御部２８により所定の時間間隔でオンとなった第３ＳＷ３０により接続された第２シフトレジスタ２９から１ビットずつシフト出力されたデータを受け取り、第２一致判定部３２に出力する。
【００２４】
ステップＳ１２：第２一致判定部３２は、第２データ抽出部３１から出力されたデータである第２抽出データと、分割ＵＷメモリ３３に記憶されている分割ユニークワードのうち第２カウンタ３５の計数ｎにより定まる分割ユニークワードである比較ユニークワードＤＵＷｎ（１≦ｎ≦ｊ）との同一性を逐次ｋビット分比較する。そして、第２抽出データと比較ユニークワードパターンとが完全に一致したかまたは完全には一致しないが所定の許容範囲内である場合一致したと判断し、それ以外の場合不一致であると判断する。一致したと判断した場合、同期維持部６２はステップＳ１３の動作へ移行する。不一致と判断した場合、同期維持部６２はステップＳ２０の動作へ移行する。
【００２５】
ステップＳ１３：第２一致判定部２６は、一致信号を第３制御部４２及び第２カウンタ３５に出力する。
ステップＳ１４：第３制御部４２は、一致信号の入力に応じ、第５ＳＷ３６を所定の時間間隔オンにした後オフにする。
ステップＳ１５：第２カウンタ３５は、一致信号の入力に応じ、カウンタ数値ｎをインクリメントする。
ステップＳ１６：第３制御部４２は、第２カウンタ３５のカウンタ数値ｎを参照し、ｎ＞ｊであるか否かを判断する。ｎ＞ｊの場合、同期維持部６２はステップＳ１８の動作へ移行する。ｎ≦ｊの場合、同期維持部６２はステップＳ１７の動作へ移行する。
【００２６】
ステップＳ１７：第３制御部４２は、第４ＳＷ３４を制御して第２一致判定部３２をＤＵＷｎメモリに接続する。そして、同期維持部６２はステップＳ１１の動作へ戻る。
ステップＳ１８：第３制御部４２は、第４ＳＷ３４を制御して第２一致判定部３２をＤＵＷ１メモリに接続する。そして、第３制御部４２は、第２カウンタ３５に初期化信号を出力する。
ステップＳ１９：第２カウンタ３５は、初期化信号の入力に応じてｎ＝１とする。そして、同期維持部６２はステップＳ１１の動作へ戻る。
【００２７】
ステップＳ２０：第２一致判定部２６は、不一致信号を第３制御部４２に出力する。
ステップＳ２１：第３制御部４２は、第１ＳＷ２１を第２ＳＲ側端子２１ｂから第１ＳＲ側端子２１ａへ切り換える。
ステップＳ２２：第３制御部４２は、第２カウンタ３５に初期化信号を出力する。第２カウンタ３５は、初期化信号の入力に応じてｎ＝１とする。
ステップＳ２３：第３制御部４２は、同期確立開始信号を第２制御部２８に出力する。そして、同期維持部６２は動作を終了する。
【００２８】
同期維持部６２において上記のような動作が行われれば、第２抽出データと比較ユニークワードＤＵＷｎ（１≦ｎ≦ｊ）とが不一致と判断された場合、非同期状態となる。即ち、第２抽出データと比較ユニークワードＤＵＷｎとが一致しないと判断された場合、同期確立状態は維持されず、同期確立のための動作であるステップＳ１〜９が再び実行される。一方、データパターンと比較ユニークワードＤＵＷｎとが一致したと判断された場合、同期確立状態が維持される。
従って、同期維持の判断が比較ユニークワードごとに行われ、同期維持の判断が簡略化される。そして、同期確立状態が維持された場合、信号処理部５においてフレームデータに含まれるｎ番目のデータユニットＤＡＴＡｎから順次抽出して処理でき、フレームデータに含まれる全てのデータユニットＤＡＴＡ１、ＤＡＴＡ２、・・、ＤＡＴＡｊを記憶するバッファも不要となる。従って、１フレームデータ中の全データユニットの蓄積を待たずに同期維持の判断ができ、同期維持判断に起因する音声出力の遅延を減らすことができる。
【００２９】
＜その他の実施形態＞
（Ａ）前記第１実施形態のフレームデータに含まれるデータＤＡＴＡ１、・・、ＤＡＴＡｊは、音声データであった。しかし、ＤＡＴＡ１、・・、ＤＡＴＡｊは、データ画像データなどの音声データ以外のデータであってもよい。この場合においても、データ処理の遅延を低減させることが可能である。
（Ｂ）前記第１実施形態の第１シフトレジスタ２２、第２シフトレジスタ２９、第１データ抽出部２５、第２データ抽出部３１、第１一致判定部２６、第２一致判定部３２、第１カウンタ２４、第２カウンタ３５などの動作は、電気回路などのハードウェアだけでなく、ソフトウェアによる情報処理によっても実現できる。
【００３０】
【発明の効果】
本発明を用いれば、同期の確立に所定のユニークワード全体で処理し、同期の維持に分散したユニークワード単位で処理を行うので、受信データ処理の遅延を低減させることが可能な同期を実現できる。
【図面の簡単な説明】
【図１】受信機の概略構成図。
【図２】ＵＷ検出部の詳細な構成図。
【図３】フレームデータの概略図。
【図４】ユニークワード及び分割ユニークワードの概略図。
【図５】同期確立部６１による同期確立の動作を示すフローチャート。
【図６】同期維持部６２による同期維持の動作を示すフローチャート。
【図７】第２スイッチ２３のオン・オフのタイミングの一例。
【図８】第５スイッチ３６のオン・オフのタイミングの一例。
【符号の説明】
４：ＵＷ検出部
４２：第３制御部
【図１】
0003957626.tif 000002
【図２】
0003957626.tif 000003
【図３】
0003957626.tif 000004
【図４】
0003957626.tif 000005
【図５】
0003957626.tif 000006
【図６】
0003957626.tif 000007
【図７】
0003957626.tif 000008
【図８】
0003957626.tif 000009